(57)【要約】    【課題】温かいお茶、紅茶、コーヒー等の飲み物を簡単に水素を豊富に含む飲み物に変えることができるようにする。    【解決手段】溶液が容易に通過できる素材で形成されカップへの出し入れに便利な紐４が付けられた袋体６に、適宜な量のマグネシウム粒８と、水素吸蔵合金粉末と高分子材によるペーストを固形化した水素発生チップ１０とを充填し、更にこれらマグネシウム粒８と水素発生チップ１０に加えて、ゼオライト１２を混入し、水素豊富水生成パックとする。【選択図】図１
0003107624.tif 000002
【実用新案登録請求の範囲】
【請求項１】
溶液が容易に通過できる素材で形成されカップへの出し入れに便利な紐４が付けられた袋体６に、適宜な量のマグネシウム粒８と、水素吸蔵合金粉末と高分子材によるペーストを固形化した水素発生チップ１０とを充填したことを特徴とする水素豊富水生成パック。
【請求項２】
前記マグネシウム粒８と水素発生チップ１０に加えて、これらにゼオライト１２を混入し前記袋体６に充填したことを特徴とする請求項１に記載の水素豊富水生成パック。
【考案の詳細な説明】
【技術分野】
【０００１】
本考案は、温かいお茶、紅茶、コーヒー等に、体内の活性酸素の消去に有効な水素豊富水を生成するのに使用される水素豊富水生成パックに関する。
【背景技術】
【０００２】
飲料水とマグネシウム粒を反応させて水素ガスを発生させ、飲料水を水素を豊富に含む水素豊富水に変えるようにした水素豊富水生成方法及び水素豊富水生成器が従来知られている（例えば特許文献１参照）。
【特許文献１】特開２００４−４１９４９号公報
【考案の開示】
【考案が解決しようとする課題】
【０００３】
温かいお茶、紅茶、コーヒーを水素豊富水に変えるために、ティーバッグに使用される袋体の中に、マグネシウム粒を充填し、この袋体を、温かいお茶、紅茶、コーヒーの入ったカップに入れてマグネシウム粒をカップ内の湯水に反応させ、水素豊富水を生成する実験を行ったところ、カップに袋体を入れてから水素ガスが発生するまでに略１０分程度の時間がかかってしまう。そのため、袋体を温かいお茶、紅茶、コーヒーに入れてからすぐに飲むことができなかった。しかしながら、マグネシウム粒は湯水と反応してからは水素ガスを生成する時間が略３０分と比較的長く持続し、そのため袋体を１回だけでなく５〜６回使用できることが確認された。一方、上記袋体の中に、水素吸蔵合金粉末と高分子材によるペーストを固形化した水素発生チップを充填し、この袋体をカップに入った湯水に反応させたところ、略２〜３分で水素ガスが発生し、マグネシウム粒よりもかなり早く水素ガスを発生することが確認された。しかしながら、この水素吸蔵合金による水素ガス生成はその発生後略５〜７分と短時間で飽和し、マグネシウム粒に比しその水素ガス発生持続時間がかなり短いことが確認された。そのため、この袋体は１回位しか使用できないということが確認された。温かいお茶、紅茶、コーヒー等を水素豊富水に変えるパックは、短時間で、水素ガスが発生し、且つ何回もパックを使用できるように、水素ガス生成時間が長く持続することが望まれる。
本考案は、上記問題点を解決することを目的とするものである。
【課題を解決するための手段】
【０００４】
上記目的を達成するため本考案は、溶液が容易に通過できる素材で形成されカップへの出し入れに便利な紐４が付けられた袋体６に、適宜な量のマグネシウム粒８と、水素吸蔵合金粉末と高分子材によるペーストを固形化した水素発生チップ１０とを充填したものである。
また本考案は、前記マグネシウム粒８と水素発生チップ１０に加えて、これらにゼオライト１２を混入し前記袋体６に充填したことを特徴とするものである。
【考案の効果】
【０００５】
本考案は、湯水との反応開始時間が短いため、温かいお茶、紅茶、コーヒーをすぐに飲むことができ、しかも、水素生成反応時間が長く持続するので、何回でも使用でき、きわめて便利である。
【考案を実施するための最良の形態】
【０００６】
以下に本考案の実施の形態を添付した図面を参照して詳細に説明する。
符号２は、本考案に係る水素豊富水生成パックを示し、市販のティーパックなどに用いられる袋体と同じ素材の、溶液が容易に通過できる浸水性の不織布で袋状に形成された、紐４の付いた、袋体６と、この袋体６に充填された適宜な量のマグネシウム粒８と、水素発生チップ１０と、ゼオライト６とから構成されている。マグネシウム粒８は、加熱された温かいお茶、紅茶、コーヒー等の湯水に入れると、１０分程度経過すると、次の化学式１によって水素ガスを発生する。
【０００７】
【化１】
0003107624.tif 000003
一般にゼオライト１２は、珪酸アルミナ含水塩鉱物であり、沸石と呼ばれている。この天然鉱物には希な特性があり、他の鉱物と比較して陽イオン交換容量（ＣＥＣ）が著しく高く、また、１ｇあたりの比較面積はおよそ３５０平方メートルの広大な面積を有する。代表的な性質としては他の鉱物には見られないイオン交換能や吸着能がある。またゼオライト１２は、特に一般細菌に対する抗菌性を有し、水中の塩素等の有害物質を除去することも知られている。
【０００８】
水素発生チップ１０は、水素吸蔵合金材料または水素吸蔵合金材料と水素吸着材により製造された共融混合物即ち共晶体の水素吸蔵合金粉末と、高分子材の例えばシリコンゴム材を用いて粉末の水素吸蔵合金とを混合してペースト化されたものを加熱してシート状に固形化した後、チップ状に細分化されて用いられる。水素吸蔵合金材料としては、例えば水素解離性の一般的な金属（Ｌａ，Ｍｇ，Ｎｉ，Ｔｉなど）または合金（Ｆｅ−Ｔｉ，Ｔｉ−Ｍｎ等のチタン系、Ｍｇ−Ｎｉ等のマグネシウム系、Ｌａ−Ｎｉ等の希土類系、Ｍｇ−Ｔｉ系にＶ系を添加したものなど）が知られている。
【０００９】
水素吸着材料としては、例えば一般的にグラファイト構造やアモルファス構造のカーボンナノチューブなどが知られている。この水素吸着材料は、例えば、フラーレン分子としては、球状炭素クラスター分子であればよく、Ｃ３６，Ｃ６０，Ｃ７０，Ｃ７６，Ｃ７８，Ｃ８０，Ｃ８２，Ｃ８４などから選ばれるフラーレン分子の単体、またはこれら２種以上の混合物のほか、グラファイトなどでもよく、とくに炭素質を限定するものではない。この水素吸着材料には、スパッタなどによる均質な分散・成膜技術などを用いるほか、マイクロカプセル化する製造プロセスによって水素解離性の金属、または、金属酸化物および炭化物の被膜処理が施される。
【００１０】
また、水素吸蔵合金材料と水素吸着材料による共融混合物（共晶体）の製造方法は、水素吸蔵合金材料を溶解した中に水素吸着材料を混入して共融混合物（共晶体）を製造するが、Ｖなどの元素を添加する場合は、原材料を粉末化してメカニカルアロイング法で製造する方法もある。水素吸蔵合金のペースト化は、利用される環境に合わせて水素吸蔵合金種を選定し、水素を吸蔵させ初期粉砕工程を経て粒子の径が約２０〜５０ミクロン程度に調整した粉末に高分子材として、例えばシリコンゴム材とを混合して、ペースト化されたものを加熱してシート状に固形化した後、チップ状に細分化されて水素発生チップ１０が製造される。
【００１１】
この水素発生チップ１０のチップ形状は、水素溶解濃度が一定に保たれ、余剰した気体水素による爆発の危険がない程度の水素吸蔵量を含有する合金量によるもので、シート状でも球体でもよい。次いで、水素発生チップ１０は、圧力容器内に入れて内部を８０度Ｃ程度に加熱をしながら真空引きして水素吸蔵合金の脱気を行い、その後、５度Ｃ程度の冷却をしながら、３０ｋｇ／ｃｍ２程度で水素加圧を行い、水素吸蔵が行われて完成する。
【００１２】
このように製造される水素発生チップ１０では、水素吸蔵合金材料が水素吸蔵・放出に伴い化合物や有害物質を作ることがなく、温度や圧力での水素放出の制御が可能なため安全で、一方、シリコンゴム材は、衛生用品や医療用品に利用されるなど、共に人体に無害で衛生的材料である。
【００１３】
上記した水素豊富水生成パック２をカップに入れた温かいお茶、紅茶、コーヒーなどの湯に入れると、略２〜３分で水素発生チップ１０の水素吸蔵合金が湯と反応し、水素ガスを発生し、比較的短時間で飽和状態となる。更に、袋体６をカップに入れて略１０分が経過すると、湯はマグネシウム粒８と反応し、上記化学式１によって水素ガスを発生する。
【００１４】
この水素ガス発生時間は略３０分持続する。そのため、袋体６をカップから取り出し、更に他のカップに５〜６回使用することができる。また、湯内のゼオライト１２は湯と反応し、湯に含まれる塩素等の有害物質を除去するとともに抗菌作用を発揮する。
【図面の簡単な説明】
【００１５】
【図１】本考案に係る水素豊富水生成パックの断面説明図である。
【符号の説明】
【００１６】
２      水素豊富水生成パック
４      紐
６      袋体
８      マグネシウム粒
１０    水素発生チップ
１２    ゼオライト
１４    水素発生チップ
【図１】
0003107624.tif 000004